(57)【要約】【課題】  比較的にコンパクトかつ簡易な構成を有し、着脱が容易なばね部材を有するキャッチ錠を提供することにある。【解決手段】  ラッチ組立体１４は、固定部材１６と、第１側１１における固定部材１６の端部近傍と軸２６を介して旋回可能に連結される操作レバー１８と、操作レバー１８の旋回操作によって縦方向Ｙ、高さ方向Ｚ及び斜め方向へ移動させられる、横方向Ｘへ延びるラッチ部２０が固定された可動部材２１とを有する。可動部材２１の両側のうちの少なくとも一方には、一端がラッチ部２０に係止され、かつ、他端が可動部材２１に固定され、縦方向Ｙへ延びるばね部材２２が引張状態で配置される。【選択図】図１
2014122516.tif 000002
【特許請求の範囲】
【請求項１】
縦方向及び横方向と、それらに直交する高さ方向と、第１側及び第２側とを有するラッチ組立体と、キーパとを含むキャッチ錠において、
前記ラッチ組立体は、固定部材と、前記第１側における前記固定部材の端部近傍と旋回可能に連結される操作レバーと、前記第２側における前記固定部材の端部近傍に位置し前記縦方向へ長い案内溝孔に摺動可能に挿入された軸を介して前記縦方向へ摺動かつ旋回可能に支持される、前記第１側の端部に前記横方向へ延びるラッチ部を有する可動部材とを含み、
前記可動部材の前記横方向において互いに対向する両側のうちの少なくとも一方には、一端が前記ラッチ部に係止され、かつ、他端が前記可動部材に固定され、前記縦方向へ延びるばね部材が引張状態で配置されることを特徴とする前記キャッチ錠。
【請求項２】
前記ばね部材は、伸縮可能なコイル部と、前記コイル部から前記縦方向へ直状に延びるアーム部とを有し、前記アーム部の先端に位置する鉤状のフック部が前記ラッチ部に係止され、前記コイル部から前記第２側へ延びる鉤状のフック部が前記可動部材に固定される請求項１に記載のキャッチ錠。
【請求項３】
前記固定部材は、ベース部と、前記ベース部の両側において前記第１側から前記第２側へ延びていて前記高さ方向へ突出し頂縁を有する側壁とを有し、前記側壁は、前記第２側の端部近傍から前記第１側へ延びる直状部と、前記直状部と連なり前記頂縁の側へかつ前記第１側へ斜め方向へ延びる傾斜部とから形成される前記案内溝孔を有し、第１端部及び第２端部を有し、前記第１端部がピンを介して前記操作レバー部材と旋回可能に連結されるとともに、前記第２端部が前記案内溝孔に挿通する前記軸を介して前記固定部材と旋回可能に連結されるリンク部材とを含む請求項１又は２に記載のキャッチ錠。
【請求項４】
前記固定部材の前記ベース部に固定された板ばねをさらに含み、前記板ばねが前記案内溝孔の前記傾斜部に進入した前記軸を上方へ付勢する請求項１〜３のいずれかに記載のキャッチ錠。
【請求項５】
施錠状態において、キーパとそれに係止されたラッチ部とを被覆する横断被覆部と、前記第１側から前記第２側へ延びる両側被覆部とを有し、前記操作レバーが、旋回可能に前記両側被覆部間に位置する請求項１〜４のいずれかに記載のキャッチ錠。
【発明の詳細な説明】
【技術分野】
【０００１】
本発明は、配電盤の収納ボックス等に使用されるキャッチ錠に関する。
【背景技術】
【０００２】
特許文献１に開示された従来のキャッチ錠は、筐体の本体に取り付けられるベース板と、筐体の蓋に取り付けられるキーパと、ベース板に旋回可能に固定された操作レバーと、操作レバーの両側部に取り付けられた掛金アームと、掛金アームの先端に位置するラッチ部とを有する。
【先行技術文献】
【特許文献】
【０００３】
【特許文献１】特開２０１０−９５９２９号公報
【発明の概要】
【発明が解決しようとする課題】
【０００４】
図１０を参照すると、特許文献１に開示のキャッチ錠１１０において、ラッチ組立体１１４の掛金アーム１４５は、ラッチ部１２０の両側部に取り付けられた板状の一対の第１アーム１４５ａと、第１アーム１４５ａとキャッチ錠１１０の幅方向において互いに重なり合って固定された板状の一対の第２アーム１４５ｂと、第１及び第２アーム１４５ａ，１４５ｂのばね受突起１４７，１４８間に圧縮された状態で配置された一対の圧縮コイルバネ１２１とを有する。キャッチ錠１１０のキーパ１１５の固定部１１５aは筐体１１３の蓋体１１３ａに固定され、操作レバー１１８が旋回可能に取り付けられたラッチ組立体１１４のベース部１２５が筐体１１３の本体１１３ｂに固定される。
【０００５】
特許文献１に開示のキャッチ錠１１０によれば、ラッチ部１２０がキーパ１１５の受部１１５ｂに掛止された状態において、一対の圧縮コイルバネ１２１の弾性力によって操作レバー１１８が筐体１１３側に付勢されるので、筐体の本体１１３ｂと蓋体１１３ａとが締め付けられて施錠状態が堅持される。
【０００６】
しかし、圧縮コイルバネ１２１は、その中心にコイル軸となる第１及び第２アーム１４５ａ，１４５ｂの重なり合う部分が配置されているので、コイルバネ１２１として比較的に直径の大きなものを使用しなければならず、キャッチ錠１１０全体の幅寸法が比較的に大きくなる。また、第１及び第２アーム１４５ａ，１４５ｂのばね受突起１４７，１４８間に圧縮コイルバネ１２１を圧縮した状態で配置することは手作業では困難であり、そのための機械装置、製造工程を要する。
【０００７】
本発明の課題は、比較的にコンパクトかつ簡易な構成を有し、着脱が容易なばね部材を有するキャッチ錠を提供することにある。
【課題を解決するための手段】
【０００８】
前記課題を解決するために、本発明が対象とするのは、縦方向及び横方向と、それらに直交する高さ方向と、第１側及び第２側とを有するラッチ組立体と、キーパとを含むキャッチ錠である。
【０００９】
本発明の特徴とするところは、前記ラッチ組立体は、固定部材と、前記第１側における前記固定部材の端部近傍と旋回可能に連結される操作レバーと、前記第２側における前記固定部材の端部近傍に位置し前記縦方向へ長い案内溝孔に摺動可能に挿入された軸を介して前記縦方向へ摺動かつ旋回可能に支持される、前記第１側の端部に前記横方向へ延びるラッチ部を有する可動部材とを含み、
前記可動部材の前記横方向において互いに対向する両側のうちの少なくとも一方には、一端が前記ラッチ部に係止され、かつ、他端が前記可動部材に固定され、前記縦方向へ延びるばね部材が引張状態で配置されることを特徴とする。
【００１０】
本発明の好ましい実施態様の一つとして、前記ばね部材は、伸縮可能なコイル部と、前記コイル部から前記縦方向へ直状に延びるアーム部とを有し、前記アーム部の先端に位置する鉤状のフック部が前記ラッチ部に係止され、前記コイル部から前記第２側へ延びる鉤状のフック部が前記可動部材に固定される。
【００１１】
本発明の他の好ましい実施態様の一つとして、前記固定部材は、ベース部と、前記ベース部の両側において前記第１側から前記第２側へ延びていて前記高さ方向へ突出し頂縁を有する側壁とを有し、前記側壁は、前記第２側の端部近傍から前記第１側へ延びる直状部と、前記直状部と連なり前記頂縁の側へかつ前記第１側へ斜め方向へ延びる傾斜部とから形成される前記案内溝孔を有し、第１端部及び第２端部を有し、前記第１端部がピンを介して前記操作レバー部材と旋回可能に連結されるとともに、前記第２端部が前記案内溝孔に挿通する前記軸を介して前記固定部材と旋回可能に連結されるリンク部材とを含む。
【００１２】
本発明のさらに他の好ましい実施態様の一つとして、前記固定部材の前記ベース部に固定された板ばねをさらに含み、前記板ばねが前記案内溝孔の前記傾斜部に進入した前記摺動ピンを上方へ付勢する。
【００１３】
本発明のさらに他の好ましい実施態様の一つとして、施錠状態において、キーパとそれに係止されたラッチ部とを被覆する横断被覆部と、前記第１側から前記第２側へ延びる両側被覆部とを有し、前記操作レバーが、旋回可能に前記両側被覆部間に位置する。
【発明の効果】
【００１４】
本発明では、前記ラッチ組立体において、可動部材の両側のうちの少なくとも一方には、一端がラッチ部に係止され、かつ、他端が可動部材に固定され、縦方向へ延びるばね部材が引張状態で配置されることから、圧縮コイルバネを配置する場合に比して組立作業が容易であり、部品点数を抑えることができ、比較的にコンパクトな大きさにすることができる。
【図面の簡単な説明】
【００１５】
【図１】第１実施形態におけるキャッチ錠を筐体に取り付けて施錠した状態を示す図。
【図２】キャッチ錠の解錠状態を示す図。
【図３】キャッチ錠の分解斜視図。
【図４】図１のＩＶ−ＩＶ線断面図。
【図５】操作レバーを旋回させたときの様子を示す図。
【図６】第２実施形態におけるキャッチ錠を筐体に取り付けて施錠した状態を示す図。
【図７】ラッチ組立体とカバー部材とを分離した状態を背面から見た図。
【図８】筐体を仮想線で示す、施錠状態におけるキャッチ錠を背面から見た図。
【図９】キャッチ錠の解錠状態を示す図。
【図１０】筐体を仮想線で示す、従来のキャッチ錠を筐体に取り付けて施錠した状態を示す図。
【発明を実施するための形態】
【００１６】
図１〜３を参照すると、キャッチ錠１０は、横方向Ｘ、縦方向Ｙ及び高さ方向Ｚと、横方向Ｘの寸法を２等分する中心軸Ｐとを有する。キャッチ錠１０は、中心軸Ｐに関してほぼ対称であって、縦方向Ｙにおいて対向する第１側１１及び第２側１２と、筐体１３の本体１３ａに固定されるラッチ組立体１４と、筐体１３の蓋体１３ｂに固定されるキーパ１５とを含む。
【００１７】
ラッチ組立体１４は、固定部材１６と、固定部材１６に軸１７を介して旋回可能に連結される操作レバー１８と、操作レバー１８の旋回操作により、リンク部材１９を介して縦方向Ｙと、高さ方向Ｚ及び斜め方向へ移動させられる、ロッド状のラッチ部２０が固定された可動部材２１とを含む。可動部材２１の両側には、ばね部材２２が配置されており、ばね部材２２の第１側１１のフック２２ａがラッチ部２０に係止され、第２側１２の固定部２３が可動部材２１に固定される。図２に示すとおり、操作者が操作レバー１８をＲ方向へ旋回させることによって、可動部材２１のラッチ部２０がキーパ１５の受部１５ｂから離間して解錠される。
【００１８】
図３を参照すると、固定部材１６は、ベース部２５と、ベース部２５の両側において第１側１１から第２側１２へ延びていて高さ方向Ｚへ突出し頂縁２５ｂを有する側壁２５ｃとを有する。側壁２５ｃには、第１側１１における端部近傍にピン（軸）２６を挿通するピン孔２７と、ピン２８の端部の移動を許す受け入れ凹部２９と、受け入れ凹部２９の第２側１２において縦方向Ｙへ延び、ピン（摺動ピン）３０，３１の摺動を案内する案内溝孔３２とが形成される。ベース部２５には、ビス３３ａ，３３ｂを通すためのビス孔が形成され、固定部材１６は該ビス３３ａ，３３ｂを介して筐体１３の本体１３ａに固定される。ビス３３ａは、屈曲板状の板ばね３５を介在した状態でビス孔に固定される。板ばね３５は、ビス孔を有する固定部３５ａと、固定部３５ａの第１側１１の端縁から高さ方向Ｚへ屈曲して延びる延出部３５ｂとを有し、固定部３５ａのビス孔とベース部２５のビス孔とを連通させた状態でビス３５ａを介して締め付けることによって、板ばね３５は固定部材１６に固定される。
【００１９】
案内溝孔３２は、第２側１２における側壁２５ｃの端部近傍から第１側１１へ延びる直状部３２ａと、直状部３２ａと連なり頂縁２５ｂの側へかつ第１側１１への斜めの方向へ延びる傾斜部３２ｂとから形成される。案内溝孔３２には、それに沿って摺動するピン（軸）３０，３１が挿通される。キーパ１５は、ビス孔３８が形成された固定部１５ａと、固定部１５ａから高さ方向Ｚへ、ラッチ部２０が係合する曲面になるように延びる受部１５ｂとを有する。
【００２０】
操作レバー１８は、縦方向Ｙへ延びる頂部４０と、頂部４０の両側から固定部材１６のベース部２５へ突出する側壁４１とを有する。各側壁４１の第１側１１のベース部２５に突出する部分には、ピン２６を挿通するためのピン孔４２とピン２８を挿通するためのピン孔４３とが形成される。操作レバー１８は、両側壁４１が固定部材１６の両側壁２５ｃの内側に位置し、その状態で、ピン孔４２に挿通するピン２６を介して、その倒伏状態で、高さ方向Ｚへほぼ４５〜４７°だけ固定部材１６に旋回可能に連結される。
【００２１】
可動部材２１は、縦方向Ｙへ延びる両側壁４５と、各側壁４５の第１側１１においてそれらをつないで横方向Ｘへ延びるブリッジ４６とを有する。両側壁４５の第１側１１の端部４５ａにはラッチ部２０を挿通するための透孔（長孔）４７が形成されており、ブリッジ４６の第２側１２には内方へ屈曲した段差が位置し、ばね部材２２のコイル部を配置するための凹部４８が形成される。凹部４８には、摺動ピン３０，３１がそれぞれ挿通されるピン孔４９，５０が位置する。両側壁４５の第２側１２の端部４５ｂは、横方向Ｘの外側に突出するように屈曲されており、該端部（屈曲部位）４５ｂにはばね部材２２の第２側１２の端部に位置する固定部を挿通するための透孔５１が形成される。
【００２２】
ばね部材２２は、いわゆる引張コイルばねであって、金属製の線材が巻回されたコイル部５２と、コイル部５２から第１側１１へ直状に延出する、先端に鉤状のフック２２ａを有するアーム部５３と、コイル部５２の第２側１２において線材が矩形状に屈曲して形成され、鉤状のフック２２ｂを有する固定部５４とを有する。ばね部材２２は、固定部５４のフック２２ｂが可動部材２１の両側部４５の第２側１２の屈曲部位に位置する透孔５１に挿通され、アーム部５３のフック２２ａが可動部材２１の透孔４７に挿通されたラッチ部２０の両側に係止されることによって、取り外し可能に可動部材１６に取り付けられる。ばね部材２２は、引張状態で可動部材２１に取り付けられており、施錠状態において、フック２２ａをラッチ部２０に係止することによってそれを第２側１２へ常時付勢するので、ラッチ部２０がキーパ１５の受部１５ｂに押し付けられて、ばね部材２２を配置しない場合に比してそれらがより強く係合される。ばね部材２２は、ラッチ部２０とキーパ１５とが所要の係合強度を有する限りにおいて、可動部材１６の両側のうちのいずれか一方にのみ配置されていてもよい。また、コイル部５２は可動部材１６の凹部４８に位置するので、キャッチ錠１０のコイル部５２の配置部分が他の部分に比して幅広となりすぎることはない。
【００２３】
リンク部材１９は、両側にピン受部６０と、両ピン受部６０間のブリッジ６１とを有する。両ピン受部６１は、第１端部６２ａと、これと縦方向Ｙにおいて離間する第２端部６３とを有する。第１端部６２ａにはピン２６が挿通されるピン孔６３が形成され、第２端部６２ｂには案内溝孔３２に挿通されるピン３０が挿通されるピン孔６４が形成される。リンク部材１９は、固定部材１６と操作レバー１８との間に介在するとともに、第１端部６２ａが第１側１１における操作レバー１８の側壁４１の端部の内側に位置し、ピン孔４２，６３の合致状態でこれらに挿通するピン２６を介して、操作レバー１８に連結される。また、リンク部材１９の第２端部６２ｂが操作レバー１８に旋回可能に連結されるとともに、案内溝孔３２に挿通するピン３０と旋回可能に連結される。図示していないが、ラッチ部２０と各ピンとは、各部材に係止又は挿通された状態において、それらの抜け止めを防止のために、リベットをかしめ止めしたり、リングを介して締結したりしてもよい。
【００２４】
図４及び図５を参照すると、以上の構成を有する本発明の実施形態にかかるキャッチ錠１０によれば、施錠状態において、操作者が操作レバー１８の第２側１２の端部に指を掛けて、ピンを支点として操作レバー１８を時計方向Ｒへ旋回させると、リンク部材１９がピン２６，３０を介して僅かに反時計方向へ旋回し、それと同時に、ピン３０，３１が案内溝孔３２の直状部３２ｂに沿って縦方向Ｙへ摺動するとともに、ピン３０が案内溝孔３２の傾斜部３２ａへ摺動して停止する。可動部材２１は、ピン３０，３１を支点として高さ斜め方向へ浮き上がった状態となり、ラッチ部２０がキーパ１５の受部１５ｂから完全に離脱し、施錠が解除される。ピン３０は、案内溝孔３２の傾斜部３２ａに進入して停止した状態において、板ばね３５の延出部３５ｂによって頂縁２５ｂ側へ付勢され、第２側１２に位置する直状部３２ｂへの移動が規制されるので、操作者が手を離した状態であっても、操作レバー１８は反時計方向へ倒伏せず、解錠状態が維持される。
【００２５】
本実施形態のキャッチ錠１０によれば、ばね部材２２が伸長された状態で、かつ、フック２２ａ，２２ｂを可動部材２１に係止することによって配置されているので、従来のキャッチ錠のように圧縮コイルバネを配置する場合と異なり、ばね部材を貫通する軸等が不要であるから構成が簡易であり、また、一端４５ａをラッチ部２０に直接係止するものであるから、部品点数を抑えることができる。
【００２６】
＜第２実施形態＞
図６〜９を参照すると、本実施形態において、キャッチ錠１０全体は、プラスチック製又は金属製のカバー部材７０によって被覆される。カバー部材７０は、コ字状であって、第１側１１の曲状の横断被覆部７１と、横方向Ｘにおいて互いに離間対向する両側被覆部７２とを有する。両側被覆部７２間には、ラッチ組立体１４の操作レバー１８が旋回可能に配置される。カバー部材７０は、横断被覆部７１において先端に向かうにつれて次第に厚さ寸法が小さくなるように形成される。
【００２７】
図８及び９に示すとおり、カバー部材７０の内部には、ラッチ組立体１４の各構成部材が収容される配置スペースが形成される。両側被覆部７２はその内部において、ばね部材２２のコイル部５２が配置される幅広部位７６と、幅広部位７６から第１側１１へ延びるばね部材２２のアーム部５３が配置される幅狭部位７７とを有する。横断被覆部７１の内部には、幅方向Ｘへ延びる可動部材２１のラッチ部２０が配置される横断部位７８が設けられる。ラッチ組立体１４は、可動部材２１の両側壁４５の第２側１２の端部（屈曲部位）４５ｂと第１側１１の端部４５ａとがカバー部材７０の内面に当接しており、カバー部材７０の内部において嵌合される。かかる状態において、操作者が操作レバー１８を摘持して解錠する方向へ旋回させることによって、ラッチ部２０がキーパ１５の受部から離間して解錠される。
【００２８】
このように、施錠時においてキャッチ錠１０全体がカバー部材７０によって被覆されることによって、ラッチ組立体１４の内部への粉塵の進入や錆の発生を防止したりすることができる。また、図９を参照すると、キャッチ錠１０が平置されている場合であっても、板ばね３５が案内溝孔３２の傾斜部３２ａに進入したピン３０を上方へ付勢するので、操作者が指を離したときに操作レバー１８がキーパ１５に向かって倒伏することはなく、容易に蓋体１３ａを開けることができる。さらに、キャッチ錠１０全体が露出する場合に比して外観上優れており、カバー部材７０の外面に模様や図形等の装飾要素を付すことによって、より優れた外観とすることができる。
【符号の説明】
【００２９】
１０    キャッチ錠
１１    第１側
１２    第２側
１４    ラッチ組立体
１６    固定部材
１８    操作レバー
１９    リンク部材
２０    ラッチ部
２１    可動部材
２２    ばね部材
２２ａ  フック部
２２ｂ  フック部
２５    ベース部
２５ｂ  ベース部の頂縁
２５ｃ  ベース部の側壁
２６    軸（ピン）
３０    軸（摺動ピン）
３２    案内溝孔
３２ａ  案内溝孔の直状部
３２ｂ  案内溝孔の傾斜部
３５    板ばね
７０    カバー部材
７１    横断被覆部
７２    両側被覆部
Ｘ  横方向
Ｙ  縦方向
Ｚ  高さ方向
【図１】
2014122516.tif 000003
【図２】
2014122516.tif 000004
【図３】
2014122516.tif 000005
【図４】
2014122516.tif 000006
【図５】
2014122516.tif 000007
【図６】
2014122516.tif 000008
【図７】
2014122516.tif 000009
【図８】
2014122516.tif 000010
【図９】
2014122516.tif 000011
【図１０】
2014122516.tif 000012